(57)【要約】【課題】電線の切り放し端の絶縁と、前記切り放し端の接触による周囲の機材等の汚損防止とを、少ない部品及び少ない工程で実現することができ、しかも、切り放し端の絶縁性能や周囲の機材等に対する汚損防止性能の点で性能にばらつきが生じ難い電線端末処理構造を提供すること。【解決手段】電線２０の切り放し端２１を保持する樹脂製の端末保持部材３０を、モールド成形により切り放し端２１に一体形成した電線端末処理構造において、端末保持部材３０が、電線２０の途中に装備される電線接続設備４０に形成された保持部材格納部４１に嵌合保持され、端末保持部材３０が保持部材格納部４１に嵌合保持された状態では、端末保持部材３０が保持している電線２０の切り放し端２１が保持部材格納部４１から外部に突出しない。【選択図】図１
2016018717.tif 000002
【特許請求の範囲】
【請求項１】
電線の切り放し端を保持する樹脂製の端末保持部材を、モールド成形により前記切り放し端に一体形成した電線端末処理構造であって、
前記端末保持部材が、前記電線の途中に装備される電線接続設備に形成された保持部材格納部に嵌合保持され、前記端末保持部材が前記保持部材格納部に嵌合保持された状態では、前記端末保持部材が保持している前記電線の前記切り放し端が前記保持部材格納部から外部に突出しないことを特徴とする電線端末処理構造。
【請求項２】
前記端末保持部材は、前記電線の前記切り放し端が突出した状態に前記切り放し端を保持することを特徴とする請求項１に記載の電線端末処理構造。
【請求項３】
前記電線接続設備が、前記電線の途中に装備されるジョイントコネクタであることを特徴とする請求項１又は２に記載の電線端末処理構造。
【発明の詳細な説明】
【技術分野】
【０００１】
本発明は、電線の切り放し端の絶縁と、前記切り放し端の接触による周囲の機材等の汚損防止とを実現する電線端末処理構造に関する。
【背景技術】
【０００２】
電線の切り放し端の絶縁と、前記切り放し端の接触による周囲の機材等の汚損防止とを実現する電線端末処理構造として、従来より、電線の切り放し端をテープ巻きで覆う構造が知られている。また、下記特許文献１には、上記電線端末処理構造として、電線の切り放し端に、専用の筒状のゴム栓を被嵌装着する電線端末処理構造が開示されている。
【先行技術文献】
【特許文献】
【０００３】
【特許文献１】特開２００６−８７１５６号公報
【発明の概要】
【発明が解決しようとする課題】
【０００４】
ところが、テープ巻きによる電線端末処理構造は、テープの巻き付け状態のばらつきによって、絶縁性能や、周囲の機材等に対する汚損防止性能などに、ばらつきが生じ易いという問題があった。
【０００５】
また、特許文献１の電線端末処理構造の場合は、ゴム栓の脱落を防止するために、テープ巻きによる固定を併用することが望ましく、部品の増加や工程数の増加によってコスト高になる虞があった。
【０００６】
そこで、本発明の目的は、上記課題を解消することに係り、電線の切り放し端の絶縁と、前記切り放し端の接触による周囲の機材等の汚損防止とを、少ない部品及び少ない工程で実現することができ、しかも、切り放し端の絶縁性能や周囲の機材等に対する汚損防止性能の点で性能にばらつきが生じ難い電線端末処理構造を提供することにある。
【課題を解決するための手段】
【０００７】
本発明の前述した目的は、下記の構成により達成される。
（１）  電線の切り放し端を保持する樹脂製の端末保持部材を、モールド成形により前記切り放し端に一体形成した電線端末処理構造であって、
前記端末保持部材が、前記電線の途中に装備される電線接続設備に形成された保持部材格納部に嵌合保持され、前記端末保持部材が前記保持部材格納部に嵌合保持された状態では、前記端末保持部材が保持している前記電線の前記切り放し端が前記保持部材格納部から外部に突出しないことを特徴とする電線端末処理構造。
【０００８】
（２）  前記端末保持部材は、前記電線の前記切り放し端が突出した状態に前記切り放し端を保持することを特徴とする上記（１）に記載の電線端末処理構造。
【０００９】
（３）  前記電線接続設備が、前記電線の途中に装備されるジョイントコネクタであることを特徴とする上記（１）又は（２）に記載の電線端末処理構造。
【００１０】
上記（１）の構成によれば、電線の切り放し端を保持する端末保持部材は、モールド成形により切り放し端に一体形成されるため、比較的簡単な製造工程で、切り放し端に装備することができる。そして、電線の切り放し端に一体成形される樹脂製の端末保持部材を、電線の途中に装備される電線接続設備の保持部材格納部に嵌合保持させるという簡単な操作を行うことで、電線の切り放し端が保持部材格納部内に納まって、電線の切り放し端が外部に突出することがない。
【００１１】
そのため、電線の切り放し端に露出する導体が外部に機材に接触することを防止することができ、切り放し端の絶縁性を確保することができ、且つ、電線導体の接触による外部の機材等の汚損を防止することもできる。
【００１２】
従って、上記（１）の構成によれば、電線の切り放し端の絶縁と、前記切り放し端の接触による周囲の機材等の汚損防止とを、少ない部品及び少ない工程で実現することができる。
【００１３】
また、仕上がり精度にばらつきを生じ易いテープ巻き等の手作業が組立工程中に含まれないため、寸法や品質が安定し、切り放し端の絶縁性能や周囲の機材等に対する汚損防止性能の点で性能にばらつきが生じ難い。
【００１４】
また、上記（１）の構成によれば、電線の切り放し端は、電線の途中に装備されている電線接続設備に収容される。そのため、電線の敷設時に、切り放し端を敷設経路上に留めることができ、電線の敷設作業中に、切り放し端が敷設経路からはみ出して、敷設経路周囲の機材等に引っ掛かることを防止することができ、電線の敷設作業性を向上させることができる。
【００１５】
上記（２）の構成によれば、切り放し端が端末保持部材から突出しているため、モールド時に切り放し端を治具で保持することができる。これにより、モールド時の電線の位置決めを正確に行うことができる。
【００１６】
上記（３）の構成によれば、ジョイントコネクタに接続された電線の切り放し端は、該切り放し端を保持する端末保持部材を、ジョイントコネクタに形成された保持部材格納部に嵌合保持させることで、切り放し端の導体が外部に露出しない状態に保持する。そのため、ジョイントコネクタに接続された電線の切り放し端の絶縁と、前記切り放し端の接触による周囲の機材等の汚損防止とを、少ない部品及び少ない工程で実現することができる。
【発明の効果】
【００１７】
本発明による電線端末処理構造によれば、電線の切り放し端の絶縁と、前記切り放し端の接触による周囲の機材等の汚損防止とを、少ない部品及び少ない工程で実現することができる。しかも、切り放し端の絶縁性能や周囲の機材等に対する汚損防止性能の点で、性能にばらつきが生じ難い。
【００１８】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００１９】
【図１】本発明に係る電線端末処理構造の第１実施形態の端末保持部材を電線接続設備に嵌合させる前の状態を示す概略図である。
【図２】図１に示した端末保持部材を電線接続設備に嵌合させた状態の概略図である。
【図３】本発明に係る電線端末処理構造の第２実施形態の概略図である。
【発明を実施するための形態】
【００２０】
以下、本発明に係る電線端末処理構造の好適な実施形態について、図面を参照して詳細に説明する。
【００２１】
［第１実施形態］
図１及び図２は本発明に係る電線端末処理構造の第１実施形態を示したもので、図１は本発明の第１実施形態の電線端末処理構造における端末保持部材を電線接続設備に嵌合させる前の状態を示す概略図、図２は図１に示した端末保持部材を電線接続設備に嵌合させた状態の概略図である。
【００２２】
この第１実施形態の電線端末処理構造は、ワイヤハーネスに組み込まれる１本の電線２０の切り放し端２１を保持する樹脂製の端末保持部材３０を、絶縁性の樹脂材料のモールド成形により切り放し端２１に一体形成したものである。
【００２３】
電線２０は、導体の周囲を絶縁被覆で覆った被覆電線である。そして、切り放し端２１は、電線２０の端部を切断しただけの状態で、該切り放し端２１には、導体の切断面が露出している。
【００２４】
そして、この電線２０の途中には、図１に示すように、電線接続設備４０が装備されている。電線接続設備４０は、電線２０が接続される電線接続部を有した設備である。本実施形態の場合は、電線接続設備４０は、収容する複数の電線相互をジョイント接続するジョイントコネクタである。そして、この電線接続設備４０には、前述の端末保持部材３０を嵌合保持する保持部材格納部４１が形成されている。保持部材格納部４１は、端末保持部材３０が緊密嵌合するように、内径寸法が設定される。
【００２５】
本実施形態の場合、端末保持部材３０は、図１に示すように、切り放し端２１の先端面に露出する導体が他の機材に接触しないように、切り放し端２１の先端面と外周とを覆う柱状構造に形成されている。そして、端末保持部材３０は、図２に示すように、電線２０の途中の電線接続設備４０の保持部材格納部４１に、嵌合保持される。
【００２６】
本実施形態の電線端末処理構造の場合、端末保持部材３０が保持部材格納部４１に嵌合保持された状態では、端末保持部材３０が保持している電線２０の切り放し端２１が保持部材格納部４１から外部に突出しない。
【００２７】
以上に説明した第１実施形態の電線端末処理構造の場合、電線２０の切り放し端２１を保持する端末保持部材３０は、モールド成形により切り放し端２１に一体形成されるため、比較的簡単な製造工程で、切り放し端２１に装備することができる。そして、電線２０の切り放し端２１に一体成形される樹脂製の端末保持部材３０を、電線２０の途中に装備される電線接続設備４０の保持部材格納部４１に嵌合保持させるという簡単な操作を行うことで、電線２０の切り放し端２１が保持部材格納部４１内に納まって、電線２０の切り放し端２１が外部に突出することがない。
【００２８】
そのため、電線２０の切り放し端２１に露出する導体が外部に機材に接触することを防止することができ、切り放し端２１の絶縁性を確保することができ、且つ、電線２０導体の接触による外部の機材等の汚損を防止することもできる。
【００２９】
従って、第１実施形態の電線端末処理構造の場合、電線２０の切り放し端２１の絶縁と、切り放し端２１の接触による周囲の機材等の汚損防止とを、少ない部品及び少ない工程で実現することができる。
【００３０】
また、仕上がり精度にばらつきを生じ易いテープ巻き等の手作業が組立工程中に含まれないため、寸法や品質が安定し、切り放し端２１の絶縁性能や周囲の機材等に対する汚損防止性能の点で性能にばらつきが生じ難い。
【００３１】
更に、第１実施形態の電線端末処理構造の場合、電線２０の切り放し端２１は、電線２０の途中に装備されている電線接続設備４０に収容される。そのため、電線２０の敷設時に、切り放し端２１を敷設経路上に留めることができ、電線２０の敷設作業中に、切り放し端２１が敷設経路からはみ出して、敷設経路周囲の機材等に引っ掛かることを防止することができ、電線２０の敷設作業性を向上させることができる。
【００３２】
また、第１実施形態の電線端末処理構造の場合、電線接続設備４０がジョイントコネクタであり、ジョイントコネクタに接続された電線２０の切り放し端２１は、該切り放し端２１を保持する端末保持部材３０を、ジョイントコネクタに形成された保持部材格納部４１に嵌合保持させることで、切り放し端２１の導体が外部に露出しない状態に保持する。そのため、ジョイントコネクタに接続された電線２０の切り放し端２１の絶縁と、切り放し端２１の接触による周囲の機材等の汚損防止とを、少ない部品及び少ない工程で実現することができる。
【００３３】
なお、電線接続設備４０に保持部材格納部４１をわざわざ形成せずに、既存の空隙を保持部材格納部として端末保持部材３０を保持してもよい。
【００３４】
［第２実施形態］
図３は、本発明に係る電線２０端末処理構造の第２実施形態の概略図である。
【００３５】
この第２実施形態の電線端末処理構造では、端末保持部材３０は、図３に示すように、電線２０の切り放し端２１の先端部が突出した状態に、切り放し端２１を保持する。図３において、寸法Ｌ１は、切り放し端２１の先端部の端末保持部材３０からの突出長である。
【００３６】
但し、この第２実施形態の場合も、端末保持部材３０が電線接続設備４０の保持部材格納部４１に嵌合保持された状態では、端末保持部材３０が保持している電線２０の切り放し端２１が保持部材格納部４１から外部に突出しないように、端末保持部材３０や保持部材格納部４１の寸法が設定されている。
【００３７】
この第２実施形態の電線端末処理構造では、切り放し端２１が端末保持部材３０から突出しているため、モールド時に切り放し端２１を治具で保持することができる。これにより、モールド時の電線２０の位置決めを正確に行うことができる。
【００３８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３９】
例えば、端末保持部材３０が保持する切り放し端２１は、予め電線２０の外被の表面を、プライマー処理などで、粗面化することで、切り放し端２１と端末保持部材３０との結合強度を向上させるようにしてもよい。
【００４０】
また、端末保持部材３０をモールド成形する前に、電線２０の端末保持部材３０に収容される部位をジグザグ形状に折曲させておいて、そのジグザグ形状に折曲させた部位の外周に端末保持部材３０をモールド成形することで、切り放し端２１と端末保持部材３０との結合強度を向上させるようにしてもよい。
【００４１】
また、電線の途中に装備される電線接続設備は、上記実施形態に示したジョイントコネクタに限らない。例えば、電線接続設備として、収容した電線にヒューズやリレー素子等を接続可能にするヒューズボックスや電気接続箱を装備する場合も考えられる。
【００４２】
ここで、上述した本発明に係る電線端末処理構造の実施形態の特徴をそれぞれ以下［１］〜［３］に簡潔に纏めて列記する。
【００４３】
［１］  電線（２０）の切り放し端（２１）を保持する樹脂製の端末保持部材（３０）を、モールド成形により前記切り放し端（２１）に一体形成した電線端末処理構造であって、
前記端末保持部材（３０）が、前記電線（２０）の途中に装備される電線接続設備（４０）に形成された保持部材格納部（４１）に嵌合保持され、前記端末保持部材（３０）が前記保持部材格納部（４１）に嵌合保持された状態では、前記端末保持部材（３０）が保持している前記電線（２０）の前記切り放し端（２１）が前記保持部材格納部（４１）から外部に突出しないことを特徴とする電線端末処理構造。
【００４４】
［２］  前記端末保持部材（３０）は、前記電線（２０）の前記切り放し端（２１）が突出した状態に前記切り放し端（２１）を保持することを特徴とする上記［１］に記載の電線端末処理構造。
【００４５】
［３］  前記電線接続設備（４０）が、前記電線（２０）の途中に装備されるジョイントコネクタであることを特徴とする上記［１］又は［２］に記載の電線端末処理構造。
【符号の説明】
【００４６】
２０  電線
２１  切り放し端
３０  端末保持部材
４０  電線接続設備
４１  保持部材格納部
【図１】
2016018717.tif 000003
【図２】
2016018717.tif 000004
【図３】
2016018717.tif 000005